(57)【特許請求の範囲】
【請求項１】
ヒンジを介して互いに開閉自在に支持された一対のケースによって形成され、収納されたコネクタのケーブルを導出するケーブル導出孔が両端部に設けられたコネクタカバーにおいて、
前記一対のケースのそれぞれに収納され、中央部にコネクタを囲む囲い孔が設けられ弾性材によって枠状に形成されたシール部材を備え、
前記一対のシール部材に前記ケーブル導出孔から導出されるケーブルを挟持するケーブル挟持部を設け、
このケーブル挟持部にケーブルの導出方向に延在する一対の直線状の溝を設け、これら溝は、前記囲い孔側の端部が共にケーブルが占める領域外に位置付けられ、かつ前記導出孔側の端部が共にケーブルが占める領域内に位置付けられるように形成されていることを特徴とするコネクタカバー。
【請求項２】
前記一対のケースに、前記囲い孔に囲まれるとともに前記コネクタが嵌合されることにより当該コネクタを保持する保持壁を一体に立設したことを特徴とする請求項１記載のコネクタカバー。
【請求項３】
前記シール部材が導電性を有する材料によって形成され、かつ前記一対のケースの内面に導電処理が施されていることを特徴とする請求項１または２記載のコネクタカバー。
【請求項４】
前記一対のケースのいずれか一方のケースに、他方のケースに着脱自在に係合することにより、一対のコネクタカバーが積層状態に互いに支持される弾性変形可能な係合片を一体に設けたことを特徴とする請求項１ないし３のいずれか一項記載のコネクタカバー。
【発明の詳細な説明】
【技術分野】
【０００１】
本発明は、互いの端子が接続されたコネクタを収納するコネクタカバーに関するものである。
【背景技術】
【０００２】
互いの端子を接続したままの状態でコネクタを収納可能なコネクタカバーとしては、例えば、特許文献１に記載されたものがある。この特許文献１に記載されたものは、互いの端子が接続された状態のコネクタを覆う上カバーおよび下カバーを備え、これら上・下カバーがヒンジを介して開閉自在に支持され、閉じることにより上・下カバーをロックするロック機構が設けられているとともに、上・下カバーの両端部には、コネクタのケーブルを導出するケーブル導出孔が設けられている。
【先行技術文献】
【特許文献】
【０００３】
【特許文献１】特開２０１０−４０３１７号公報
【発明の概要】
【発明が解決しようとする課題】
【０００４】
上述したような従来のコネクタカバーにおいては、ケーブル導出孔とケーブルとの間の隙間から水や塵埃等がカバーの内部に浸入するという問題があった。また、径が異なるケーブルに対応するためにケーブル導出孔の径が異なる多数種のコネクタカバーを用意しなければならないといった問題もあった。
【０００５】
本発明は上記した従来の問題に鑑みなされたものであり、その目的とするところは、異なる径のケーブルに対しても防塵性および防水性に優れたコネクタカバーを提供するところにある。
【課題を解決するための手段】
【０００６】
この目的を達成するために、本発明は、ヒンジを介して互いに開閉自在に支持された一対のケースによって形成され、収納されたコネクタのケーブルを導出するケーブル導出孔が両端部に設けられたコネクタカバーにおいて、前記一対のケースのそれぞれに収納され、中央部にコネクタを囲む囲い孔が設けられ弾性材によって枠状に形成されたシール部材を備え、前記一対のシール部材に前記ケーブル導出孔から導出されるケーブルを挟持するケーブル挟持部を設け、このケーブル挟持部にケーブルの導出方向に延在する一対の直線状の溝を設け、これら溝は、前記囲い口側の端部が共にケーブルが占める領域外に位置付けられ、かつ前記ケーブル導出孔側の端部が共にケーブルが占める領域内に位置付けられるように形成されているものである。
【０００７】
本発明は、前記発明において、前記一対のケースに、前記囲い孔に囲まれるとともに前記コネクタが嵌合されることにより当該コネクタを保持する保持壁を一体に立設したものである。
【０００８】
本発明は、前記発明のいずれか一つの発明において、前記シール部材が導電性を有する材料によって形成され、かつ前記一対のケースの内面に導電処理が施されているものである。
【０００９】
本発明は、前記発明のいずれか一つの発明において、前記一対のケースのいずれか一方のケースに、他方のケースに着脱自在に係合することにより、一対のコネクタカバーが積層状態に互いに支持される弾性変形可能な係合片を一体に設けたものである。
【発明の効果】
【００１０】
本発明によれば、収納されたコネクタがシール部材によって囲まれているため、ケーブル導出孔とケーブルとの間の隙間から浸入した水や塵埃等がシール部材によってコネクタへの浸入が規制されるため、防塵性および防水性が向上する。また、シール部材のケーブル挟持部に溝が設けられていることにより、ケーブルの径が変わっても一対のシール部材のケーブル挟持部とケーブルとの間に隙間が発生するようなことがなくケーブルの外周面がシール部材に密着するから、防塵性および防水性がより一層向上する。
【００１１】
前記発明のうちの一つの発明によれば、コネクタをコネクタカバーに収納するだけでコネクタおよびケーブルの電気的なシールドがなされるので、コネクタカバーの付加価値を向上させることができる。
【図面の簡単な説明】
【００１２】
【図１】本発明に係るコネクタカバーを開いた状態を示す斜視図である。
【図２】同図（Ａ）は本発明に係るコネクタカバーに互いの端子が接続された状態のコネクタを収納してコネクタカバーを開いて示す斜視図、同図（Ｂ）は同じくコネクタカバーを閉じた状態を示す斜視図である。
【図３】同図（Ａ）は本発明に係るコネクタカバーに雌型コネクタのみを収納してコネクタカバーを開いた状態を示す斜視図、同図（Ｂ）は同じくコネクタカバーを閉じた状態を示す斜視図、同図（Ｃ）は同図（Ｂ）におけるIII （Ｃ）矢視図である。
【図４】同図（Ａ）は本発明に係るコネクタカバーにおいて、ケーブルを挟持したシール部材の要部を拡大して示す平面図、同図（Ｂ）は同図（Ａ）におけるIV（Ｂ）-IV（Ｂ） 線断面図、同図（Ｃ）は仮にシール部材の溝を形成しなかった場合の同図（Ａ）におけるIV（Ｂ）-IV（Ｂ） 線断面図である。
【図５】本発明に係るコネクタカバーにコネクタを収納した状態の平面図である。
【図６】本発明に係るコネクタカバーを固定具に固定する状態を示す斜視図である。
【図７】本発明の第２の実施の形態に係るコネクタカバーを開いた状態を示す斜視図である。
【図８】本発明の第２の実施の形態に係るコネクタカバーにコネクタを収納した状態の平面図である。
【図９】本発明の第３の実施の形態を示し、同図（Ａ）は本発明に係るコネクタカバーの斜視図、同図（Ｂ）は同じくコネクタカバーを底面側から視た斜視図、同図（Ｃ）は本発明に係るコネクタカバーを積層した状態を示す斜視図である。
【発明を実施するための形態】
【００１３】
以下、本発明の実施の形態を図１ないし図９に基づいて説明する。
〔実施の形態１〕
【００１４】
先ず、図１ないし図６を用いて、本発明の第１の実施の形態について説明する。図１に全体を符号１で示すコネクタカバーは、上ケース２および下ケース３と、これら上・下ケース２，３を連結するヒンジ４とからなり、これら上・下ケース２，３およびヒンジ４が合成樹脂によって一体に形成されている。
【００１５】
上ケース２は、細長い八角形に形成された上板２１と、この上板２１の周端部から一体に立設された囲い壁２２と、囲い壁２２のヒンジ４が設けられた部位と反対側の部位に一体に突設されたロック片２３とによって、図１中上面が開口された浅底の箱状に形成されている。上板２１の内面には、後述するケーブル６３，６４の導出方向（矢印Ａ−Ｂ方向）に延在し、互いに平行に対向する一対の保持壁２１ａ，２１ａが一体に立設されている。また、これら保持壁２１ａ，２１ａの矢印Ａ−Ｂ方向の両端部には、当該保持壁２１ａと直交する保持壁２１ｂ，２１ｂが保持壁２１ａと一連に形成されている。これら一対の保持壁２１ａ，２１ａと四個の保持壁２１ｂに囲まれる部位には、後述するコネクタ６が嵌合され、嵌合されることによりコネクタ６がこれら一対の保持壁２１ａ，２１ａと四個の保持壁２１ｂによって保持されて位置決めされる。
【００１６】
囲い壁２２の矢印Ａ−Ｂ方向の両端部には、半円形の切欠き２２ａ，２２ｂが設けられている。ロック片２３は囲い壁２２に起伏自在に支持され、矢印Ａ−Ｂ方向の両端部には、後述する係合突起３３ａ，３３ａに係合する一対の係合孔２３ａ，２３ａが設けられている。また、ロック片２３には、図３（Ｃ）に示すように後述する固定具９の係合溝９２ａに係合する係合凸条２３ｂが矢印Ａ−Ｂ方向に延在するように一体に突設されている。
【００１７】
下ケース３は、上記した上板２１と同じ形状の細長い八角形に形成された底板３１と、この底板３１の周端部から一体に立設された囲い壁３２とによって、図１中上面が開口された浅底の箱状に形成されている。底板３１の内面には、矢印Ａ−Ｂ方向に延在し、互いに平行に対向する一対の保持壁３１ａ，３１ａが一体に立設されている。また、これら保持壁３１ａ，３１ａの矢印Ａ−Ｂ方向の両端部には、当該保持壁３１ａと直交する保持壁３１ｂ，３１ｂが保持壁３１ａと一連に形成されている。これら一対の保持壁３１ａ，３１ａと四個の保持壁３１ｂに囲まれる部位には、コネクタ６が嵌合され、嵌合されることにより、上記した保持壁２１ａ，２１ｂと協働してコネクタ６を保持し位置決めする。
【００１８】
囲い壁３２の矢印Ａ−Ｂ方向の両端部には、図１に示すように半円形の切欠き３２ａ，３２ｂが設けられている。また、囲い壁３２のヒンジ４と対向する部位の矢印Ａ−Ｂ方向の両端部には、一対の係合突起３３ａ，３３ａが突設されている。
【００１９】
このような構成において、図１中上ケース２をヒンジ４を回動中心として、矢印Ａ−Ｂ方向と直交する方向に回動させ、上・下ケース２，３の互いの開口をこれら上・下ケース２，３によって覆うように、下ケース３の係合突起３３ａにロック片２３の係合孔２３ａを係合させることにより、図６に示すように上・下カバー２，３の互いの開口が閉じられた状態のコネクタカバー１が形成される。このように上・下カバー２，３の互いの開口が閉じられた状態のコネクタカバー１が形成されると、図２（Ｂ）に示すように矢印Ａ−Ｂ方向の両端部には、切欠き２２ａ，３２ａによって、コネクタ６のケーブル６３が導出される円形のケーブル導出孔７が形成されるとともに、切欠き２２ｂ，３２ｂによって、コネクタ６のケーブル６４が導出される円形のケーブル導出孔８が形成される。
【００２０】
図１において、５Ａ，５Ｂは弾性材によって偏平な枠状に形成されたシール部材であり、共に同じ形状に形成されているので、ここではシール部材５Ａについてのみ詳細に説明し、シール部材５Ｂについては必要に応じて適宜説明する。すなわち、シール部材５Ａ，５Ｂは、上ケース２の上板２１および下ケース３の底板３１と同じ外形を有する八角形に形成されている。
【００２１】
シール部材５Ａ，５Ｂの中央部には、保持壁２１ａ，２１ｂまたは保持壁３１ａ，３１ｂを囲むように保持壁２１ａ，２１ｂまたは保持壁３１ａ，３１ｂに嵌合される平面視において長方形の囲い孔５１，５１が設けられている。また、シール部材５Ａ，５Ｂの矢印Ａ−Ｂ方向の両端部には、コネクタカバー１のケーブル導出孔７，８から導出されるケーブル６３，６４を挟持するケーブル挟持部５２，５２が形成されている。
【００２２】
これらケーブル挟持部５２，５２には、平面視において共に直線状に形成された一対の溝５３，５４が設けられており、これら溝５３，５４は、後述するようにシール部材５Ａ，５Ｂが上ケース２および下ケース３のそれぞれに収納された際に、図４（Ａ）に示すように、導出されるケーブル６３，（６４）の軸芯Ｇに対して、同じ角度αだけ傾斜している。溝５３，５４の囲い孔５３側の端部５３ａ，５４ａ間の間隔Ｄ１が、溝５３，５４のケーブル導出孔７側の端部５３ｂ，５４ｂ間の間隔Ｄ２よりも大きく形成されており、これら溝５３，５４は、囲い孔５３側に向かって末広がり状に傾斜している。端部５３ａ，５４ａは、ケーブル挟持部５２のケーブル６３，（６４）が占める領域（図４（Ａ）中、便宜上、破線によってハッチングを付した部分）から外れた部位に位置付けられ、端部５３ｂ，５４ｂは、挟持部５２のケーブル６３，（６４）が占める領域内の部位に位置付けられている。
【００２３】
このシール部材５Ａ，５Ｂの厚みＨ１は、上ケース２の上板２１および下ケース３の底板３１のそれぞれの内面からの囲い壁２２，３２の高さＨ２よりもわずかに大きく形成されている。
【００２４】
このシール部材５Ａの囲い孔５１を、図２（Ａ）に示すように、保持壁２１ａ，２１ｂの外面に対接させるようにして、シール部材５Ａを上ケース２の囲い壁２２内に嵌合させ、他方のシール部材５Ｂの囲い孔５１を保持壁３１ａ，３１ｂの外面に対接させるようにして、シール部材５Ｂを下ケース３の囲い壁３３内に嵌合させる。この状態で、シール部材５Ａのケーブル挟持部５２，５２が上ケース２の切欠き２２ａ，２２ｂを閉塞し、シール部材５Ｂのケーブル挟持部５２，５２が下ケース３の切欠き３２ａ，３２ｂを閉塞する。
【００２５】
図５において、６は互いの端子（図示せず）が接続される雄型コネクタ６１と雌型コネクタ６２とからなるコネクタであって、各コネクタ６１，６２からケーブル６３，６４が導出されている。
【００２６】
図６において、９は断面がコ字状に形成された固定具であって、底板９１とこの底板９１の両端部を折り曲げ形成することにより互いに対向する一対の両側板９２，９３とからなり、両側板９２，９３には、上記したコネクタカバー１の係合凸条２３ｂおよびヒンジ４のそれぞれが係合する係合凹溝９２ａ，９３ａが設けられている。このような構成において、固定具９の両側板９２，９３を互いに離間する方向に弾性変形させながら、コネクタカバー１の両側部を嵌合させると、係合凸条２３ｂおよびヒンジ４が係合凹溝９２ａ，９３ａに係合し、コネクタカバー１が固定具９に保持される。したがって、この固定具９を介してコネクタカバー１を種々の電子機器等に固定することができる。
【００２７】
次に、図２、図４、図５を用いて、コネクタ６をコネクタカバー１に収納する動作について説明する。予め、雄型コネクタ６１と雌型コネクタ６２との互いの端子を接続させてコネクタ６を形成しておく。次いで、図２（Ａ）に示すように、保持壁２１ａ，２１ｂを囲むように囲い孔５１を保持壁２１ａ，２１ｂに嵌合させることにより、シール部材５Ａを上ケース２の囲い壁２２内に嵌合させる。同様に、保持壁３１ａ，３１ｂを囲むように囲い孔５１を保持壁３１ａ，３１ｂに嵌合させることにより、シール部材５Ｂを下ケース３の囲い壁３２内に嵌合させる。
【００２８】
次に、雄型コネクタ６１および雌型コネクタ６２の互いの端子が接続された状態のコネクタ６を下ケース３の保持壁３１ａ，３１ｂ内に嵌合させることにより、コネクタ６が保持壁３１ａに保持されるととともに、シール部材５Ｂによって囲まれ、図５に示すようにケーブル６３，６４がケーブル挟持部５２，５２に位置付けられる。このように、上・下ケース２，３にコネクタ６が嵌合されて保持される保持壁２１ａ，３１ａを設けたことにより、コネクタ６がコネクタカバー１内で遊動するようなことがなく位置決めされる。
【００２９】
次いで、ヒンジ４を回動中心として上ケース２を矢印Ａ−Ｂ方向と直交する方向に回動させ、図２（Ｂ）に示すように、上・下ケース２，３の互いの開口を閉じ、上ケース２のロック片２３の係合孔２３ａを下ケース３の係合突起３３ａに係合させることにより、上・下ケース２，３を結合させ、コネクタ６をコネクタカバー１内に収納する。
【００３０】
この状態で、シール部材５Ａの下面５ａとシール部材５Ｂの上面５ｂは、図４（Ｂ）に示すように互いに圧接される。ここで、シール部材５Ａ，５Ｂの厚みＨ１が、上ケース２の囲い壁２２の高さＨ２および下ケース３の囲い壁３２の高さＨ２よりもわずかに大きく形成されていることにより、両シール部材５Ａ，５Ｂは、共に厚み方向が弾性変形して、下面５ａと上面５ｂとが密着する。
【００３１】
また、シール部材５Ａ，５Ｂの挟持部５２，５２に溝５３，５４が設けられていることにより、ケーブル６３を挟持する挟持部５２，５２がケーブル６３の円弧状の外周面に沿って弾性変形しやすくなるため、この挟持部５２，５２がケーブル６３の外周面に密着するように弾性変形する。すなわち、挟持部５２に溝５３，５４が設けられていない同図（Ｃ）の場合には、ケーブル６３の外周面とシール部材５Ａ，５Ｂの挟持部５２，５２との間に隙間６５が形成されるが、同図（Ｂ）に示す本発明の場合には、ケーブル６３の外周面とシール部材５Ａ，５Ｂの挟持部５２，５２との間の密着性が向上する。
【００３２】
特に、ケーブル６３，６４の径が変わっても、挟持部５２のケーブル６３，６４と密着する部位が弾性変形し易いため、ケーブル６３，６４の外周面に対してシール部材５Ａ，５Ｂの挟持部５２，５２が密着し易いから密着性が向上する効果が大きい。このため、ケーブル導出孔７，８からの塵埃や水等の浸入が規制されるから、防塵性や防水性が向上する。この場合、溝５３，５４のケーブル６３，６４の軸芯Ｇに対する傾斜角度αを小さく形成することにより、ケーブル６３，６４の外周面とシール部材５Ａ，５Ｂとの間の密着性がより一層向上する。
【００３３】
次に、図３を用いて、第１の実施の形態の変形例について説明する。この変形例では、コネクタカバー１内に、コネクタ６を構成する雄型コネクタ６１および雌型コネクタ６２のうちのいずれか一方、この実施例では、例えば雌型コネクタ６２のみを収納するようにしている。すなわち、同図（Ａ）に示すように、下ケース３の保持壁３１ａ，３１ｂ内に雌型コネクタ６２を嵌合させ、ケーブル６４をシール部材５Ｂの挟持部５２上に載置する。
【００３４】
次いで、上ケース２をヒンジ４を回動中心として矢印Ａ−Ｂ方向と直交する方向に回動させ、同図（Ｂ）に示すように、上・下ケース２，３の互いの開口を閉じ、上ケース２のロック片２３の係合孔２３ａを下ケース３の係合突起３３ａに係合させることにより、上・下ケース２，３を結合させ、雌型コネクタ６２をコネクタカバー１内に収納する。この状態で、ケーブル６４がケーブル導出孔８から導出され、ケーブル導出孔７からはケーブルは導出されない。
【００３５】
ケーブルが導出されないケーブル導出孔７は、同図（Ｃ）に示すようにシール部材５Ａ，５Ｂのケーブル挟持部５２，５２によって閉塞され、かつシール部材５Ａの下面５ａとシール部材５Ｂの上面５ｂとが密着しているため、このケーブル導出孔７から塵埃や水がコネクタカバー１内に浸入するようなことがない。なお、この実施例では、コネクタカバー１内に雌型コネクタ６２のみを収納するようにしたが、雄型コネクタ６１のみを収納するようにしてもよいことは勿論である。
〔実施の形態２〕
【００３６】
次に、図７および図８を用いて、本発明の第２の実施の形態について説明する。
【００３７】
この第２の実施の形態において、上述した図１ないし図６に示す第１の実施の形態において説明した同一または同等の部材については同一の符号を付し、詳細な説明は適宜省略する。この第２の実施の形態においては、上ケース２の内面、すなわち上板２１の内面および囲い壁２２の内面ならびに保持壁２１ａ，２１ｂの表面（図７中、説明の便宜上ハッチングを施した部位）には、導電性を有する金属によってメッキ処理が施されている。また、下ケース３の内面、すなわち底板３１の内面および囲い壁３２の内面ならびに保持壁３１ａ，３１ｂの表面（図７中、説明の便宜上ハッチングを施した部位）には、導電性を有する金属によってメッキ処理が施されている。さらに、シール部材５Ａ，５Ｂは導電性を有する弾性材によって形成されている。
【００３８】
次に、図７および図８を用いて、コネクタ６をコネクタカバー１に収納する動作について説明する。予め、図８に示すように雄型コネクタ６１のケーブル６３および雌型コネクタ６２のケーブル６４のそれぞれの端部の被覆を折り返すようにして、導電性を有する偏組線６３ａ，６４ａを露呈させた状態で、雄型コネクタ６１と雌型コネクタ６２との互いの端子を接続させてコネクタ６を形成しておく。次いで、上述した第１の実施の形態と同様に、保持壁２１ａ，２１ｂを囲むように囲い孔５１を保持壁２１ａ，２１ｂに嵌合させることにより、シール部材５Ａを上ケース２の囲い壁２２内に嵌合させる。また、保持壁３１ａ，３１ｂを囲むように囲い孔５１を保持壁３１ａ，３１ｂに嵌合させることにより、シール部材５Ｂを下ケース３の囲い壁３２内に嵌合させる。
【００３９】
次に、雄型コネクタ６１および雌型コネクタ６２の互いの端子が接続された状態のコネクタ６を下ケース３の保持壁３１ａ，３１ｂ内に嵌合させることにより、コネクタ６は保持壁３１ａ，３１ｂに保持されるととともに、シール部材５Ｂによって囲まれる。
【００４０】
次いで、ヒンジ４を回動中心として上ケース２を矢印Ａ−Ｂ方向と直交する方向に回動させ、上・下ケース２，３の互いの開口を閉じ、上ケース２のロック片２３の係合孔２３ａを下ケース３の係合突起３３ａに係合させることにより、上・下ケース２，３を結合させ、コネクタ６をコネクタカバー１内に収納する。
【００４１】
この状態で、コネクタカバー１内に収納されたコネクタ６は、図８に示すように導電性を有する一対のシール部材５Ａ，５Ｂおよび内面に導電メッキが施された上・下ケース２，３によって囲まれるため、これらシール部材５Ａ，５Ｂおよび上・下ケース２，３によって電気的なシールドがなされる。さらに、ケーブル６３，６４の端部の偏組線６３ａ，６４ａがシール部材５Ａ，５Ｂと導通されるため、ケーブル６３，６４もシール部材５Ａ，５Ｂおよび上・下ケース２，３によって電気的なシールドがなされる。このように、コネクタカバー１内にコネクタ６を収納するだけで、コネクタ６およびケーブル６３，６４の電気的なシールドがなされるので、コネクタカバー１の付加価値を向上させることができる。
〔実施の形態３〕
【００４２】
次に、図９を用いて、本発明の第３の実施の形態について説明する。
【００４３】
この第３の実施の形態において、上述した図１ないし図８に示す第１および第２の実施の形態において説明した同一または同等の部材については同一の符号を付し、詳細な説明は適宜省略する。上ケース２の上板２１の外面の四隅には、同図（Ａ）に示すように四個の突起２１ｃが一体に突設されている。下ケース３の底板３１の外面の四隅には、同図（Ｂ）に示すように上記した突起２１ｃが係入される四個の凹部３１ｃが設けられている。また、底板３１の外面の矢印Ａ−Ｂ方向と直交する方向の両端部には、断面が円弧状で矢印Ａ−Ｂ方向に延在する弾性変形可能に形成された一対の係合片３４，３４が一体に設けられている。
【００４４】
このような構成において、一方のコネクタカバー１Ａの凹部３１ｃに、他方のコネクタカバー１Ｂの突起２１ｃを係合させながら、コネクタカバー１Ａの係合片３４，３４を弾性変形させて、コネクタカバー１Ｂの上ケース２の矢印Ａ−Ｂ方向と直交する方向の両端部に係合させることにより、一対のコネクタカバー１Ａ，１Ｂを積層状態で互いに支持する。順次、同図（Ｃ）に示すようにコネクタカバー１Ｃをコネクタカバー１Ｂに支持させ、次いでコネクタカバー１Ｄをコネクタカバー１Ｃに支持させることにより、複数のコネクタカバーを積層状態で支持することが可能になる。
【符号の説明】
【００４５】
１，１Ａ，１Ｂ，１Ｃ，１Ｄ…コネクタカバー、２…上ケース、３…下ケース、４…ヒンジ、５Ａ，５Ｂ…シール部材、６…コネクタ、７，８…ケーブル導出孔、９…固定具、２１ａ，２１ｂ，３１ａ，３１ｂ…保持壁、２３…ロック片、２３ａ…係合孔、３３ａ…係合突起、３４…係合片、５１…囲い孔、５２…ケーブル挟持部、５３，５４…溝、６１…雄型コネクタ、６２…雌型コネクタ、６３，６４…ケーブル、６３ａ，６４ａ…偏組線。
【図１】
0005492693.tif 000002
【図２】
0005492693.tif 000003
【図３】
0005492693.tif 000004
【図４】
0005492693.tif 000005
【図５】
0005492693.tif 000006
【図６】
0005492693.tif 000007
【図７】
0005492693.tif 000008
【図８】
0005492693.tif 000009
【図９】
0005492693.tif 000010